(57)【要約】【課題】スペース利用上、大きな制約を課すことなくかご室内への日射状態を変更することができる、エレベータかごの提供。【解決手段】エレベータかご１は、かご室への出入口を開閉するかご室ドア３と、そのドア３と協働してかご室を形成している囲み体５とを備える。囲み体５は、少なくとも色または光透過率を変更できる可変色体１３で構成された壁面を含む。可変色体１３の色等の変更は、手動または自動によって実施される。【選択図】図１
2012232842.tif 000002
【特許請求の範囲】
【請求項１】
かご室への出入口を開閉するかご室ドアと、
前記ドアと協働して前記かご室を形成している囲み体と
を備えるエレベータかごにおいて、
前記囲み体は、少なくとも色または光透過率を変更できる可変色体で構成された壁面を含むことを特徴とするエレベータかご。
【請求項２】
かご室内から手動操作される壁色制御装置を備えており、
前記色または光透過率が、前記壁色制御装置によって変更される
請求項１のエレベータかご。
【請求項３】
かご室内に関する情報を監視するかご内環境監視装置と、該かご内環境監視装置の監視結果に基づいて動作する壁色制御装置とを備えており、
前記色または光透過率が、前記壁色制御装置によって変更される
請求項１または２のエレベータかご。
【請求項４】
かご室内に関する情報には、積載量が含まれており、
前記かご内環境監視装置は、かご室内の積載量を監視しており、
前記壁色制御装置は、前記かご内環境監視装置によって重量超過状態が検出されたときに、警報として前記色または光透過率を変更する
請求項３のエレベータかご。
【請求項５】
前記かご室ドアは、少なくとも色または光透過率を変更できる可変色体で構成された壁面を含み、
前記壁色制御装置は、前記かご室ドアの前記色または光透過率も変更する
請求項２乃至４の何れか一項のエレベータかご。
【請求項６】
前記可変色体は、表示面全体で一種類の色のみを表示するカラー電子ペーパーである請求項１乃至５の何れか一項のエレベータかご。
【請求項７】
昇降可能に設けられたエレベータかごと、
前記エレベータかごに対して乗り降りするための複数の乗場とを備えたエレベータであって、
前記エレベータかごは、請求項１乃至６の何れか一項のエレベータかごであり、
前記乗場には、乗場ドアが設けられており、
前記乗場ドアは、少なくとも色または光透過率を変更できる可変色体で構成された壁面を含む
エレベータ。
【請求項８】
非常事態検知装置を更に備え、
前記非常事態検知装置が非常事態を検知したとき、前記可変色体で構成された壁面の色または光透過率が変更される
請求項７のエレベータ。
【発明の詳細な説明】
【技術分野】
【０００１】
本発明は、エレベータかご等に関するものである。
【背景技術】
【０００２】
エレベータは、昇降路内を昇降可能に設けられたかごを備えている。エレベータのなかでも、かご室を構成する壁がガラス等で構成され外の景色が見えるようなシースルーエレベータでは、外光によりかご室内が眩くなったり、輻射熱によってかご室内温度が上昇し、冷房効率が低下したりする問題がある。
【０００３】
上記の問題に関連したものとして、特許文献１に開示されたシースルーエレベータがある。このエレベータでは、かごにブラインドを設けておき、かご室内に乗客がいない場合であって、冷房機器によってかご室内を冷却している場合には、モータの駆動によりブラインドを閉じてかご室内への光を遮り、冷房の運転効率を向上させている。
【先行技術文献】
【特許文献】
【０００４】
【特許文献１】特開２０１０−７６８５４号公報
【発明の概要】
【発明が解決しようとする課題】
【０００５】
しかしながら、上述した従来のエレベータでは、遮光やかご室内温度上昇防止のために、ブラインドやその駆動装置といった比較的大掛かり機構を設ける必要があったので、スペース利用上また意匠設計上、エレベータに大きな制約を課す恐れがあった。
【０００６】
本発明は、上記に鑑みてなされたものであり、スペース利用上、大きな制約を課すことなくかご室内への日射状態を変更することができる、エレベータかごを提供することを目的とする。
【課題を解決するための手段】
【０００７】
上述した目的を達成するため、本発明は、かご室への出入口を開閉するかご室ドアと、前記ドアと協働して前記かご室を形成している囲み体とを備えるエレベータかごにおいて、前記囲み体は、少なくとも色または光透過率を変更できる可変色体で構成された壁面を含むことを特徴とする。
【発明の効果】
【０００８】
本発明のエレベータかごによれば、スペース利用上、大きな制約を課すことなくかご室内への日射状態を変更することができる。
【図面の簡単な説明】
【０００９】
【図１】本発明の実施の形態に係るエレベータかごの構成を示す図である。
【図２】かご室を模式的に示す平面図である。
【図３】本発明の実施の形態に関し壁の色等が変更される処理を示すフローチャートである。
【図４】別の実施の形態に係るエレベータかごの構成を示す図である。
【図５】別の実施の形態に関し壁の色等が変更される処理を示すフローチャートである。
【図６】本発明の実施の形態に係るエレベータを説明するための図である。
【発明を実施するための形態】
【００１０】
以下、本発明に係るエレベータかごの実施の形態について添付図面に基づいて説明する。なお、図中、同一符号は同一又は対応部分を示すものとする。
【００１１】
実施の形態１．
図１は、本実施の形態１に係るエレベータかごの構成を示す図であり、より詳細には、かご室内からかご室ドアに向かって見た状態を示している。また、図２は、かご室を模式的に示す平面図である。エレベータかご１は、かご室ドア３と、囲み体５とを備えている。
【００１２】
かご室ドア３は、かご室への出入口を開閉する横スライド扉である。囲み体５は、かご室ドア３と協働してかご室を形成している部分である。本実施の形態では、エレベータの一般的な態様として、かご室は、平面視ほぼ矩形のかご室を例にとっており、囲み体５は、左右一対の側壁７と、後壁９と、左右一対の袖壁１１とを含んでいる。
【００１３】
囲み体５は、少なくとも色または光透過率（透明度）を変更できる可変色体１３で構成された壁面を含んでおり、本実施の形態では、少なくとも左右一対の側壁７が、可変色体１３で構成されている。可変色体１３は、具体例として、カラー電子ペーパーであり、好適には、ドット表示ではなく、表示面全体が１つのドットであるかのような一種類の色のみを表示するカラー電子ペーパーである。
【００１４】
符号１５は、壁色制御装置であり、符号１７は、壁色調整装置である。壁色制御装置１５は、可変色体１３の色及び光透過率を変更する制御装置であり、例えば、かごと一緒に昇降するようかごの上などのスペースに配置されている。
【００１５】
壁色調整装置１７は、本実施の形態１では、壁色制御装置１５をかご室内から手動操作し、それによって人的操作で自由に壁の色を変更できるようにするものである。具体例を挙げると、壁色調整装置１７は、可変色体１３を備えた側壁７の一つまたは全てに設けられた有線式のコントローラ１７ａ、袖壁１１のかご操作盤に内蔵された有線式のコントローラ１７ｂ、操作者１９が自由に持ち運び可能な無線式のコントローラ１７ｃの何れか一つ以上、あるいは、それら全てとして用意される。これらのコントローラ１７ａ，１７ｂ，１７ｃがそれぞれ有線・無線態様で、壁色制御装置１５に接続されている。なお、コントローラに関する有線式・無線式は、適宜、選択することができる。
【００１６】
次に、図３をも参照しながら、上述したエレベータかごの動作について説明する。図３は、本実施の形態１に関し壁の色等が変更される処理を示すフローチャートである。
【００１７】
まず、図示省略する乗場からエレベータかご１内に乗り込んだ操作者１９は、ステップＳ１として、壁色調整装置１７であるコントローラ１７ａ，１７ｂ，１７ｃの何れかを操作して、可変色体１３の色または光透過率を変更するための入力を行う。ステップＳ２として、壁色調整装置１７になされた操作内容が、有線または無線を介して、壁色制御装置１５に指令として伝達される。
【００１８】
続いて、ステップＳ３として、壁色制御装置１５は、入力された操作内容に基づいて、可変色体１３を制御し、すなわち、可変色体１３の色及び／又は光透過率を変更する。こにより、ステップＳ４として、最終的に側壁７の色が、透明にされたり、不透明にされたり、透明・不透明における色が変更されたり、透明度（透過率）が変更されたりする。
【００１９】
このように本実施の形態に係るエレベータかごによれば、人的操作にて自由にかご室の壁の色を変更できる。これにより、通常状態で側壁７の色を透明にしておけば、エレベータ運転中でもかご室内からその外の景色が見えるシースルーエレベータとしての利用を基本としつつ、日射状況により眩しさを感じたりエアコン２１の冷房の効果が低いと感じたりする場合には、可変色体３の色を透明から不透明へ近づける（及び／又は、透過率を下げる）ことで、日射がかご室内へ与える影響を変更することができる。勿論、上記と逆の目的で使用することもでき、気温の低い状況では、可変色体３の色をより透明へと近づける（及び／又は、透過率を上げる）ように変更することで、かご室内へ積極的に日光を採り入れ、かご室内を暖める作用を補完するようにしてもよい。このように、本実施の形態では、ブラインド等の遮光器具をかご内に設けることなく、レイアウト上は既存の構成を変更することなく実施できるので、スペース利用や意匠設計に関しエレベータに大きな制約を課すことなく、かご室内への日射状態を変更することができる。また、かご室内の冷暖房効率を低下させずに済むので、省エネルギにも貢献する。
【００２０】
さらに、本実施の形態では、上記のようなかご室内への日射状態を変更する構成を利用し、個人的な好み・気分・周辺環境に応じて、あるいはリニューアルのような効果を得るという要望に応じて、本来はその都度必要であるはずの大きな（エレベータ運転を中止して実施する）工事を行うことなく、簡単にかご室の壁の印象を変更することができる利点もある。
【００２１】
また、本実施の形態では、可変色体は、表示面全体が１つのドットであるかのような一種類の色のみを表示するカラー電子ペーパーであるので、電極構造や駆動制御がよりシンプルであり、より安価に実施することができる。
【００２２】
実施の形態２．
図４は、実施の形態２に係るエレベータかごの構成を示す図である。本実施の形態２のエレベータかご１０１は、かご内環境監視装置１２３を用いる点、壁色調整装置１７に替えて／加えて、かご内環境測定装置１１７を用いる点を除いては、上述した実施の形態１と同様に構成されているものとする。なお、以下の説明及びそれに関する図示は、壁色調整装置１７に替えてかご内環境測定装置１１７を設けた態様を対象に行う。
【００２３】
かご室内の適所、例えば、図４に示されるように、袖壁１１には、かご内環境測定装置１１７が設けられている。かご内環境測定装置１１７は、例えば、かご内の温度・湿度・照度等のかご内環境を測定することができる。また、かご内環境測定装置１１７は、かご内環境監視装置１２３に、測定結果に関する情報を伝達するように接続されている。かご内環境監視装置１２３は、例えば、かごと一緒に昇降するようかごの上などのスペースに配置されており、壁色制御装置１５に対して必要な指令を行う。
【００２４】
上述したエレベータかごの動作について説明する。図５は、本実施の形態２に関し壁の色等が変更される処理を示すフローチャートである。このフローチャートの処理は、通常状態で壁の色が透明であるシースルーエレベータに関し、かご室が外光の影響により眩しくなった（設定値以上の照度が観測された）際に、自動的に壁の色を変化（可変色体１３の透過率を低く）させ、外光を遮光して乗客に不快な思いをさせずにエレベータを運行する例として記載されている。
【００２５】
まず、ステップＳ１として、かご内環境測定装置１１７においてかご内照度が測定されており、ステップＳ２として、測定されたかご内照度の情報がかご内環境監視装置１２３に伝達されている。ステップＳ３として、かご内環境監視装置１２３において、その照度の測定データが、所定の設定値以上の照度であるか否かが監視されている。
【００２６】
ステップＳ３において、設定値以上の照度が観測された場合には、ステップＳ４として、かご内環境監視装置１２３から壁色制御装置１５に対し、可変色体１３の光透過率を低くする旨の指令が伝達される。ステップＳ５として、指令を伝達された壁色制御装置１５は、その指令内容に従って可変色体１３を制御し、壁の色を透過率の低いものへと変更し、ステップＳ６として、最終的に、側壁７の色が外光を遮断する程度のものに変わる。なお、ステップＳ３において、測定されたデータが設定値未満の照度であった場合には、再びかご内照度の測定データの伝達を待つ形となる。
【００２７】
このように本実施の形態２に係るエレベータかごによっても、スペース利用や意匠設計に関しエレベータに大きな制約を課すことなく、かご室内への日射状態を変更することができる。さらに、本実施の形態２では、乗客が特別な操作をしなくても、かごの外の環境（天候等）に応じて自動的に可変色体１３の状態が変更され、乗客に不快な思いをさせることなくエレベータが運転されるようにすることができる。
【００２８】
実施の形態３．
本実施の形態３は、以下に説明する部分を除いては上記実施の形態２と同様であるものとする。本実施の形態３は、重量超過（いわゆる定員オーバー・満員）状態が生じたときに、その旨を報知する警報としても、可変色体の変化を利用するものである。本実施の形態３のエレベータかごは、図示省略するが、図４と同様に構成されており、かご内環境測定装置は、かご内の温度・湿度・照度等のかご内環境のほかに、かご室内の積載量も測定しており、かご内環境監視装置は、その積載量も監視している。そして、かご内環境監視装置によって重量超過状態が検出されたときには、壁色制御装置を介して、警報として可変色体の色または光透過率が自動的に変更されて、乗り込んだ乗客に対して重量超過の注意喚起を行うことができる。
【００２９】
このように本実施の形態３に係るエレベータかごによっても、スペース利用や意匠設計に関しエレベータに大きな制約を課すことなく、かご室内への日射状態を自動的に変更することができ、それに加えて、可変色体の変化を重量超過の警報としても利用することができる。しかも、かかる警報は、ブザーや音声アナウンスなど、警報のためだけの設備や機能を別途設けることなく実施することができ、さらに、スペース利用上制約を課したり、コストの大きな増大を伴ったりすることなく実施することができる。なお、本実施の形態３は、上述したように実施の形態２との組み合わせとして実施することに替え、上記実施の形態１との組み合わせとして実施することもでき、すなわち、その場合、日射状態への対応としての色等の変更は、手動で、重量超過の警報としての色等の変更は、自動で行われることとなる。
【００３０】
実施の形態４．
実施の形態４として、上記実施の形態１〜３の何れかにおいて、囲み体５の色等を変更することに加え、かご室ドア３の色等も変更するように構成することもできる。すなわち、図示省略するが、かご室ドア３にも、囲み体５と同様な可変色体１３で構成された壁面を含ませ、壁色制御装置１５は、囲み体５の可変色体１３の色等の制御に加え、かご室ドア３の可変色体１３の色等の制御も行う。このような本実施の形態４のエレベータかごでは、上述した実施の形態１〜３の効果をより高めることができる。なお、実施の形態３のかご室ドア３に対して適用されている本実施の形態４においては、日射状態への対応は、囲み体５だけ、または、囲み体５とかご室ドア３との双方で行い、重量超過の警報としての対応は、囲み体５及びかご室ドア３の一方、または、囲み体５及びかご室ドア３の双方で行うようにすることが含まれる。
【００３１】
実施の形態５．
次に、本発明の実施の形態５に係るエレベータについて説明する。図６は、本実施の形態のエレベータを説明するための図である。エレベータ２００は、昇降可能に設けられたエレベータかご１，１０１と、エレベータかごに対して乗り降りするための複数の乗場２２５（図６では一階分のみ図示）とを少なくとも備え、エレベータかご１，１０１は、前述した実施の形態１〜４の何れかのエレベータかごである。
【００３２】
乗場２２５のそれぞれには、エレベータかご複数台分の乗場ドア２２７が設けられており、それら乗場ドアには、囲み体５と同様な可変色体１３で構成された壁面が含まれている。可変色体１３は、対応する壁色制御装置１５によって、色または光透過率を変更される。壁色制御装置１５は、実施の形態１〜４の何れのエレベータかごを用いるかにより、壁色調整装置１７またはかご内環境監視装置１２３の指令を受けて手動または自動で乗場ドア２２７の色または光透過率を変更する。
【００３３】
本実施の形態のエレベータによっても、スペース利用や意匠設計に関しエレベータに大きな制約を課すことなく、かご室内への日射状態を自動的に変更することができる。さらに加えて、乗場ドアの色等も変更できるので、日射がかご室内へ与える影響の変更の効果をより高めたり、乗場ドアの色等を介してかご内ではなく乗場２２５で待つ乗客に対しても所定の情報を提供したりすることもできる。特に、実施の形態３のエレベータかご１０１を備えたエレベータ２００では、かご内環境監視装置１１７によって重量超過状態が検出されたときに警報として乗場ドア２２７の色等が自動的に変更されるように構成し、乗場２２５で待つ乗客に対しても定員オーバー・満員状態の（乗り込み不能である）エレベータが何れであるかを報知することができる。これにより、乗場で待つ乗客の利用便宜性を向上させることができ、さらには、乗場の乗客が搭乗状態を見越した呼びボタン操作を行えば、エレベータの運転効率の向上効果を得ることも可能である。また、かかる搭乗状態の報知は、音声アナウンスなどの報知のためだけの設備や機能を別途設けることなく実現できる。
【００３４】
実施の形態６．
本発明は、上記実施の形態５のエレベータにおいて、非常事態検知装置を設ける共に、その非常事態検知装置がエレベータに関する非常事態を検知したときに、可変色体で構成された壁面の色または光透過率が変更されるように構成することもできる。変更対象の可変色体は、囲み体、かご室ドア及び乗場ドアの何れか一つ以上に設定することができる。このようなエレベータによれば、音声アナウンスなど特に設備や機能を別途設けることなくエレベータの非常事態を乗場の乗客に伝えることができる。
【００３５】
以上、好ましい実施の形態を参照して本発明の内容を具体的に説明したが、本発明の基本的技術思想及び教示に基づいて、当業者であれば、種々の改変態様を採り得ることは自明である。
【００３６】
上述した実施の形態では、平面視、ほぼ矩形のかご室を備えた構成を対象に説明してきたが、本発明はこれに限定されるものではない。よって、例えば、平面視、円形状のかご室を備えた構成に適用することも可能である。また、エレベータかごの囲み体も、かご室ドアと協働してかご室を構成するものであればよく、直角に交わる平面状の壁体からなることに限定されず、例えば、湾曲した凸面や凹面、あるいは、波形にうねった曲面や不規則に曲った面、格子や窓などを含むようなものでもよい。また、可変色体が設けられた部分も、平面に限定されるものではない。
【符号の説明】
【００３７】
１，１０１  エレベータかご、３  かご室ドア、５  囲み体、１３  可変色体、１５  壁色制御装置、１７  壁色調整装置、１１７  かご内環境測定装置、１２３  かご内環境監視装置、２００  エレベータ、２２５  乗場、２２７  乗場ドア。
【図１】
2012232842.tif 000003
【図２】
2012232842.tif 000004
【図３】
2012232842.tif 000005
【図４】
2012232842.tif 000006
【図５】
2012232842.tif 000007
【図６】
2012232842.tif 000008